【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
各種の歌唱データをデータベースに記憶させておき、入力された演奏データの内容に合致した前記歌唱データを前記データベースより読み出して歌唱合成を行う歌唱合成方法において、
前記演奏データは、少なくとも音韻を表わす音韻情報と、音高を表わす音高情報と、演奏音速さ情報とを含み、
前記データベースには、前記音韻情報、前記音高情報のうちの少なくとも１つと対応させ音韻遷移時間長データを記憶した音韻遷移データベースが含まれ、
前記演奏データを入力する入力ステップと、
前記演奏データに対応した前記音韻遷移時間長データを前記データベースより読み出す音韻遷移時間長データ読出しステップと、
前記演奏音速さ情報に基づき、前記音韻遷移時間長読出しステップにおいて読み出された前記音韻遷移時間長データを補正する音韻遷移時間長データ補正ステップとを備えたことを特徴とする歌唱合成方法。
【請求項２】
各種の歌唱データをデータベースに記憶させておき、入力された演奏データの内容に合致した前記歌唱データを前記データベースより読み出して歌唱合成を行う歌唱合成方法において、
前記演奏データは、少なくとも音韻を表わす音韻情報と、音高を表わす音高情報と、演奏音強さ情報とを含み、
前記データベースには、前記音韻情報、前記音高情報のうちの少なくとも１つと対応させ音韻遷移時間長データを記憶した音韻遷移データベースが含まれ、
前記演奏データを入力する入力ステップと、
前記演奏データに対応した前記音韻遷移時間長データを前記データベースより読み出す音韻遷移時間長データ読出しステップと、
前記演奏音強さ情報に基づき、前記音韻遷移時間長読出しステップにおいて読み出された前記音韻遷移時間長データを補正する音韻遷移時間長データ補正ステップとを備えたことを特徴とする歌唱合成方法。
【請求項３】
各種の歌唱データをデータベースに記憶させておき、入力された演奏データの内容に合致した前記歌唱データを前記データベースより読み出して歌唱合成を行う歌唱合成方法において、
前記演奏データは、少なくとも音韻を表わす音韻情報と、音高を表わす音高情報とを含み、
前記データベースには、前記音韻情報、前記音高情報のうちの少なくとも１つと対応させ音韻遷移時間長データを記憶した音韻遷移データベースが含まれ、
前記演奏データを入力する入力ステップと、
前記演奏データに対応した前記音韻遷移時間長データを前記データベースより読み出す音韻遷移時間長データ読出しステップと、
前記音高情報に基づき、前記音韻遷移時間長読出しステップにおいて読み出された前記音韻遷移時間長データを補正する音韻遷移時間長データ補正ステップとを備えたことを特徴とする歌唱合成方法。
【請求項４】
前記演奏データは、前記音韻の状態の遷移を示す状態遷移データを含み、
前記音韻遷移時間長データ読出しステップは、前記状態遷移データに応じて異なる音韻遷移時間長データを読み出すように構成された請求項１乃至３のいずれか1項に記載の歌唱合成方法。
【請求項５】
前記音韻遷移時間長データ読出しステップは、前記音韻の種類に応じて異なる音韻遷移時間長データを読み出すように構成された請求項１乃至４のいずれか1項に記載の歌唱合成方法。
【請求項６】
前記音韻遷移時間長補正ステップは、前記音韻遷移時間長に対し、乱数によって与えられるゆらぎ成分を付与するステップを含んでいる請求項1乃至３のいずれか1項に記載の歌唱合成方法。
【請求項７】
各種の歌唱データをデータベースに記憶させておき、入力された演奏データの内容に合致した前記歌唱データを前記データベースより読み出して歌唱合成を行う手順をコンピュータに実行させる歌唱合成用プログラムにおいて、
前記演奏データは、少なくとも音韻を表わす音韻情報と、音高を表わす音高情報と、演奏音速さ情報とを含み、前記データベースには、前記音韻情報、前記音高情報のうちの少なくとも１つと対応させ音韻遷移時間長データを記憶した音韻遷移データベースが含まれた状態において、
前記演奏データを入力する入力ステップと、
前記演奏データに対応した前記音韻遷移時間長データを前記データベースより読み出す音韻遷移時間長データ読出しステップと、
前記演奏音速さ情報に基づき、前記音韻遷移時間長読出しステップにおいて読み出された前記音韻遷移時間長データを補正する音韻遷移時間長データ補正ステップとをコンピュータに実行させるように構成されたことを特徴とする歌唱合成用プログラム。
【請求項８】
各種の歌唱データをデータベースに記憶させておき、入力された演奏データの内容に合致した前記歌唱データを前記データベースより読み出して歌唱合成を行う手順をコンピュータに実行させる歌唱合成用プログラムにおいて、
前記演奏データは、少なくとも音韻を表わす音韻情報と、音高を表わす音高情報と、演奏音強さ情報とを含み、前記データベースには、前記音韻情報、前記音高情報のうちの少なくとも１つと対応させ音韻遷移時間長データを記憶した音韻遷移データベースが含まれた状態において、
前記演奏データを入力する入力ステップと、
前記演奏データに対応した前記音韻遷移時間長データを前記データベースより読み出す音韻遷移時間長データ読出しステップと、
前記演奏音強さ情報に基づき、前記音韻遷移時間長読出しステップにおいて読み出された前記音韻遷移時間長データを補正する音韻遷移時間長データ補正ステップとをコンピュータに実行させるように構成されたことを特徴とする歌唱合成用プログラム。
【請求項９】
各種の歌唱データをデータベースに記憶させておき、入力された演奏データの内容に合致した前記歌唱データを前記データベースより読み出して歌唱合成を行う手順をコンピュータに実行させる歌唱合成用プログラムにおいて、
前記演奏データは、少なくとも音韻を表わす音韻情報と、音高を表わす音高情報とを含み、前記データベースには、前記音韻情報、前記音高情報のうちの少なくとも１つと対応させ音韻遷移時間長データを記憶した音韻遷移データベースが含まれた状態において、
前記演奏データを入力する入力ステップと、
前記演奏データに対応した前記音韻遷移時間長データを前記データベースより読み出す音韻遷移時間長データ読出しステップと、
前記音高情報に基づき、前記音韻遷移時間長読出しステップにおいて読み出された前記音韻遷移時間長データを補正する音韻遷移時間長データ補正ステップとをコンピュータに実行させるように構成されたことを特徴とする歌唱合成用プログラム。
【請求項１０】
各種の歌唱データをデータベースに記憶させておき、入力された演奏データの内容に合致した前記歌唱データを前記データベースより読み出して歌唱合成を行う歌唱合成装置において、
前記演奏データは、少なくとも音韻を表わす音韻情報と、音声を表わす音高情報と、演奏音速さ情報とを含み、
前記データベースには、前記音韻情報、前記音高情報のうちの少なくとも１つと対応させ音韻遷移時間長データを記憶した音韻遷移データベースが含まれ、
前記演奏データを入力する演奏データ入力部と、
前記演奏データに対応した前記音韻遷移時間長データを前記データベースより読み出す音韻遷移時間長データ読出し部と、
前記演奏音速さ情報に基づき、前記音韻遷移時間長読出しステップにおいて読み出された前記音韻遷移時間長データを補正する音韻遷移時間長データ補正部とを備えたことを特徴とする歌唱合成装置。
【請求項１１】
各種の歌唱データをデータベースに記憶させておき、入力された演奏データの内容に合致した前記歌唱データを前記データベースより読み出して歌唱合成を行う歌唱合成装置において、
前記演奏データは、少なくとも音韻を表わす音韻情報と、音高を表わす音高情報と、演奏音強さ情報とを含み、
前記データベースには、前記音韻情報、前記音高情報のうちの少なくとも１つと対応させ音韻遷移時間長データを記憶した音韻遷移データベースが含まれ、
前記演奏データを入力する演奏データ入力部と、
前記演奏データに対応した前記音韻遷移時間長データを前記データベースより読み出す音韻遷移時間長データ読出し部と、
前記演奏音強さ情報に基づき、前記音韻遷移時間長読出しステップにおいて読み出された前記音韻遷移時間長データを補正する音韻遷移時間長データ補正部とを備えたことを特徴とする歌唱合成装置。
【請求項１２】
各種の歌唱データをデータベースに記憶させておき、入力された演奏データの内容に合致した前記歌唱データを前記データベースより読み出して歌唱合成を行う歌唱合成装置において、
前記演奏データは、少なくとも音韻を表わす音韻情報と、音高を表わす音高情報とを含み、
前記データベースには、前記音韻情報、前記音高情報のうちの少なくとも１つと対応させ音韻遷移時間長データを記憶した音韻遷移データベースが含まれ、
前記演奏データを入力する演奏データ入力部と、
前記演奏データに対応した前記音韻遷移時間長データを前記データベースより読み出す音韻遷移時間長データ読出し部と、
前記音高情報に基づき、前記音韻遷移時間長読出しステップにおいて読み出された前記音韻遷移時間長データを補正する音韻遷移時間長データ補正部とを備えたことを特徴とする歌唱合成装置。
【請求項１３】
前記演奏データは、前記音韻の状態の遷移を示す状態遷移データを含み、
前記音韻遷移時間長データ読出し部は、前記状態遷移データに応じて異なる音韻遷移時間長データを読み出すように構成された請求項１０乃至１２のいずれか1項に記載の歌唱合成装置。
【請求項１４】
前記音韻遷移時間長データ読出し部は、さらに前記音韻の種類に応じて異なる音韻遷移時間長データを読み出すように構成された請求項１０乃至１３のいずれか1項に記載の歌唱合成装置。
【請求項１５】
前記音韻遷移時間長補正ステップは、前記音韻遷移時間長に対し、乱数によって与えられるゆらぎ成分を付与するステップを含んでいる請求項１０乃至１３のいずれか1項に記載の歌唱合成装置。
【請求項１６】
請求項７乃至９のいずれか1項に記載の歌唱合成用プログラムを記録したコンピュータで読み取り可能な記録媒体。
【手続補正２】
【補正対象書類名】明細書
【補正対象項目名】０００７
【補正方法】変更
【補正の内容】
【０００７】
【課題を解決するための手段】
上記目的達成のため、本出願の第１発明に係る歌唱合成方法は、各種の歌唱データをデータベースに記憶させておき、入力された演奏データの内容に合致した前記歌唱データを前記データベースよりして歌唱合成を行う歌唱合成方法において、前記演奏データは、少なくとも音韻を表わす音韻情報と、音高を表わす音高情報と、演奏音速さ情報とを含み、前記データベースには、前記音韻情報、前記音高情報又は前記演奏音速さ情報のうちの少なくとも１つと対応させ音韻遷移時間長データを記憶した音韻遷移データベースが含まれ、前記演奏データを入力する入力ステップと、前記演奏データに対応した前記音韻遷移時間長データを前記データベースより読み出す音韻遷移時間長データ読出しステップと、前記演奏音速さ情報に基づき、前記音韻遷移時間長読出しステップにおいて読み出された前記音韻遷移時間長データを補正する音韻遷移時間長データ補正ステップとを備えたことを特徴とする。
【手続補正３】
【補正対象書類名】明細書
【補正対象項目名】０００９
【補正方法】変更
【補正の内容】
【０００９】
上記目的達成のため、本出願の第２発明に係る歌唱合成方法は、各種の歌唱データをデータベースに記憶させておき、入力された演奏データの内容に合致した前記歌唱データを前記データベースより読み出して歌唱合成を行う歌唱合成方法において、前記演奏データは、少なくとも音韻を表わす音韻情報と、音高を表わす音高情報と、演奏音強さ情報とを含み、前記データベースには、前記音韻情報、前記音高情報のうちの少なくとも１つと対応させ音韻遷移時間長データを記憶した音韻遷移データベースが含まれ、前記演奏データを入力する入力ステップと、前記演奏データに対応した前記音韻遷移時間長データを前記データベースより読み出す音韻遷移時間長データ読出しステップと、前記演奏音強さ情報に基づき、前記音韻遷移時間長読出しステップにおいて読み出された前記音韻遷移時間長データを補正する音韻遷移時間長データ補正ステップとを備えたことを特徴とする。
【手続補正４】
【補正対象書類名】明細書
【補正対象項目名】００１１
【補正方法】変更
【補正の内容】
【００１１】
上記目的達成のため、本出願の第３発明に係る歌唱合成方法は、各種の歌唱データをデータベースに記憶させておき、入力された演奏データの内容に合致した前記歌唱データを前記データベースより読み出して歌唱合成を行う歌唱合成方法において、前記演奏データは、少なくとも音韻を表わす音韻情報と、音高を表わす音高情報とを含み、前記データベースには、前記音韻情報、前記音高情報のうちの少なくとも１つと対応させ音韻遷移時間長データを記憶した音韻遷移データベースが含まれ、前記演奏データを入力する入力ステップと、前記演奏データに対応した前記音韻遷移時間長データを前記データベースより読み出す音韻遷移時間長データ読出しステップと、前記音高情報に基づき、前記音韻遷移時間長読出しステップにおいて読み出された前記音韻遷移時間長データを補正する音韻遷移時間長データ補正ステップとを備えたことを特徴とする。
【手続補正５】
【補正対象書類名】明細書
【補正対象項目名】００１４
【補正方法】変更
【補正の内容】
【００１４】
上記目的達成のため、本出願の第４発明に係る歌唱合成装置は、各種の歌唱データをデータベースに記憶させておき、入力された演奏データの内容に合致した前記歌唱データを前記データベースより読み出して歌唱合成を行う歌唱合成装置において、前記演奏データは、少なくとも音韻を表わす音韻情報と、音声を表わす音高情報と、演奏音速さ情報とを含み、前記データベースには、前記音韻情報、前記音高情報のうちの少なくとも１つと対応させ音韻遷移時間長データを記憶した音韻遷移データベースが含まれ、前記演奏データを入力する演奏データ入力部と、前記演奏データに対応した前記音韻遷移時間長データを前記データベースより読み出す音韻遷移時間長データ読出し部と、前記演奏音速さ情報に基づき、前記音韻遷移時間長読出しステップにおいて読み出された前記音韻遷移時間長データを補正する音韻遷移時間長データ補正部とを備えたことを特徴とする。
【手続補正６】
【補正対象書類名】明細書
【補正対象項目名】００１５
【補正方法】変更
【補正の内容】
【００１５】
上記目的達成のため、本出願の第５発明に係る歌唱合成装置は、各種の歌唱データをデータベースに記憶させておき、入力された演奏データの内容に合致した前記歌唱データを前記データベースより読み出して歌唱合成を行う歌唱合成装置において、前記演奏データは、少なくとも音韻を表わす音韻情報と、音高を表わす音高情報と、演奏音強さ情報とを含み、前記データベースには、前記音韻情報、前記音高情報のうちの少なくとも１つと対応させ音韻遷移時間長データを記憶した音韻遷移データベースが含まれ、前記演奏データを入力する演奏データ入力部と、前記演奏データに対応した前記音韻遷移時間長データを前記データベースより読み出す音韻遷移時間長データ読出し部と、前記演奏音強さ情報に基づき、前記音韻遷移時間長読出しステップにおいて読み出された前記音韻遷移時間長データを補正する音韻遷移時間長データ補正部とを備えたことを特徴とする。
【手続補正７】
【補正対象書類名】明細書
【補正対象項目名】００１６
【補正方法】変更
【補正の内容】
【００１６】
上記目的達成のため、本出願の第６発明に係る歌唱合成装置は、各種の歌唱データをデータベースに記憶させておき、入力された演奏データの内容に合致した前記歌唱データを前記データベースより読み出して歌唱合成を行う歌唱合成装置において、前記演奏データは、少なくとも音韻を表わす音韻情報と、音高を表わす音高情報とを含み、前記データベースには、前記音韻情報、前記音高情報のうちの少なくとも１つと対応させ音韻遷移時間長データを記憶した音韻遷移データベースが含まれ、前記演奏データを入力する演奏データ入力部と、前記演奏データに対応した前記音韻遷移時間長データを前記データベースより読み出す音韻遷移時間長データ読出し部と、前記音高情報に基づき、前記音韻遷移時間長読出しステップにおいて読み出された前記音韻遷移時間長データを補正する音韻遷移時間長データ補正部とを備えたことを特徴とする。